(57)【特許請求の範囲】
【請求項１】
広口の開口部を有するプラスチック製二軸延伸ブロー成形容器本体部と蓋材とからなり、前記容器本体部内に収容した花を前記蓋材により密封してなる花包装体であって、前記容器本体部の底部は底面部と前記底面部を取り囲む環状の接地部とからなり、前記底面部は前記接地部に近い周縁部分では大きく上方に凹んでおり、またその中央部には前記接地部の下端を超さないように下方に突出した筒状の凹部が形成されており、かつ前記開口部にはフランジ部が形成されており、前記容器本体部の胴部と前記フランジ部の間に前記胴部よりも厚肉に形成された縮径部を有することを特徴とする花包装体。
【請求項２】
広口の開口部を有するプラスチック製二軸延伸ブロー成形容器本体部と金属製蓋材とからなり、前記容器本体部内に収容した花を前記蓋材により密封してなる花包装体であって、前記容器本体部の底部は底面部と前記底面部を取り囲む環状の接地部とからなり、前記底面部は前記接地部に近い周縁部分では大きく上方に凹んでおり、またその中央部には前記接地部の下端を超さないように下方に突出した筒状の凹部が形成されていることを特徴とする花包装体。
【請求項３】
広口の開口部を有するポリエステル樹脂製二軸延伸ブロー成形容器本体部と蓋材とからなり、前記容器本体部内に収容した花を前記蓋材により密封してなる花包装体であって、前記容器本体部の底部は底面部と前記底面部を取り囲む環状の接地部とからなり、前記底面部は前記接地部に近い周縁部分では大きく上方に凹んでおり、またその中央部には前記接地部の下端を超さないように下方に突出した筒状の凹部が形成されていることを特徴とする花包装体。
【請求項４】
広口の開口部を有するプラスチック製二軸延伸ブロー成形容器本体部と蓋材とからなり、前記容器本体部内に収容した花を前記蓋材により密封してなる花包装体であって、前記容器本体部の底部は底面部と前記底面部を取り囲む環状の接地部とからなり、前記底面部は前記接地部に近い周縁部分では大きく上方に凹んでおり、またその中央部には前記接地部の下端を超さないように下方に突出した筒状の凹部が形成されており、かつ前記容器本体部の少なくとも一部の壁が、周方向及び／又は長さ方向に小さく凹凸を繰り返す模様を有するように成形されていることを特徴とする花包装体。
【請求項５】
広口の開口部を有するプラスチック製二軸延伸ブロー成形容器本体部と蓋材とからなり、前記容器本体部内に収容した花を前記蓋材により密封してなる花包装体であって、前記容器本体部の底部は底面部と前記底面部を取り囲む環状の接地部とからなり、前記底面部は前記接地部に近い周縁部分では大きく上方に凹んでおり、またその中央部には前記接地部の下端を超さないように下方に突出した筒状の凹部が形成されており、かつ前記花を長期保存するため炭酸ガス及び／又は窒素ガスとともに前記花が密封されていることを特徴とする花包装体。
【請求項６】
請求項１〜５のいずれかに記載の花包装体において、前記蓋材が、前記容器本体部の開口端に形成されたフランジ部に巻き締めにより取り付けられていることを特徴とする花包装体。
【請求項７】
請求項１〜６のいずれかに記載の花包装体において、前記蓋材がアルミニウムからなること特徴とする花包装体。
【請求項８】
請求項１〜７のいずれかに記載の花包装体において、前記容器本体部がポリエチレンテレフタレートからなることを特徴とする花包装体。
【請求項９】
請求項１〜４及び６〜８のいずれかに記載の花包装体において、前記花を長期保存するため炭酸ガス及び／又は窒素ガスとともに前記花が密封されていることを特徴とする花包装体。
【請求項１０】
請求項１〜３及び５〜９のいずれかに記載の花包装体において、前記容器本体部の少なくとも一部の壁が、周方向及び／又は長さ方向に小さく凹凸を繰り返す模様を有するように成形されていることを特徴とする花包装体。
【発明の詳細な説明】
【０００１】
【産業上の利用分野】
本発明は切り花等の包装体に関し、特に、花とともに花を長期保存できる気体を注入して密封でき、また、花を収容した状態で容易に搬送できるような新規な花包装体に関する。
【０００２】
【従来の技術及び発明が解決しようとする課題】
従来より、生花を小売店等で販売する場合、生花は紙、プラスチック製のフィルム等で包装される。このような包装は簡便ではあるが、生花を傷めやすく、長距離の輸送には適さない。また、当然のことながら、この状態での長期保存も不可能である。
【０００３】
ところで、最近では、花の宅配が流行しつつあるが、このような場合の配送には、花を傷めないこと、花の鮮度を保つこと等の注意が特に必要である。また、卸売市場から各小売店等に生花を搬送する場合にも、上記の注意点が重要となる。このように生花の取扱は比較的難しく、その販路はかなり限られているのが現状である。
【０００４】
したがって本発明の目的は、生花を傷めることなく容易に花を収容及び搬送できるとともに、収容した花を長期に保存でき、また、パックしたままでも店頭に陳列したり、部屋内に静置して鑑賞したりすることができる新規な花包装体を提供することである。
【０００５】
【課題を解決するための手段】
上記課題に鑑み鋭意研究の結果、本発明者は、広口の開口部を有する容器本体部の底部の中央部に、前記容器本体部の内側に開口する筒状の凹部を形成し、かつこの凹部の周りに、この凹部より下方に延びる環状の接地部を形成すれば、容器の自立安定性を確保できるとともに、包装する花の茎端部を上記の凹部に差し込むことにより確実に花を保持して包装できることを見出し、本発明に想到した。
【０００６】
すなわち、本発明の第一の花包装体は、広口の開口部を有するプラスチック製二軸延伸ブロー成形容器本体部と蓋材とからなり、前記容器本体部内に収容した花を前記蓋材により密封してなり、前記容器本体部の底部は、底面部と前記底面部を取り囲む環状の接地部とからなり、前記底面部は、前記接地部に近い周縁部分では大きく上方に凹んでおり、また前記底面部の中央部には前記接地部の下端を超さないように下方に突出した筒状の凹部が形成されており、かつ前記開口部にはフランジ部が形成されており、前記容器本体部の胴部と前記フランジ部の間に前記胴部よりも厚肉に形成された縮径部を有することを特徴とする。
【０００７】
本発明の第二の花包装体は、広口の開口部を有するプラスチック製二軸延伸ブロー成形容器本体部と金属製蓋材とからなり、前記容器本体部内に収容した花を前記蓋材により密封してなる花包装体であって、前記容器本体部の底部は底面部と前記底面部を取り囲む環状の接地部とからなり、前記底面部は前記接地部に近い周縁部分では大きく上方に凹んでおり、またその中央部には前記接地部の下端を超さないように下方に突出した筒状の凹部が形成されていることを特徴とする。
【０００８】
本発明の第三の花包装体は、広口の開口部を有するポリエステル樹脂製二軸延伸ブロー成形容器本体部と蓋材とからなり、前記容器本体部内に収容した花を前記蓋材により密封してなる花包装体であって、前記容器本体部の底部は底面部と前記底面部を取り囲む環状の接地部とからなり、前記底面部は前記接地部に近い周縁部分では大きく上方に凹んでおり、またその中央部には前記接地部の下端を超さないように下方に突出した筒状の凹部が形成されていることを特徴とする。
【０００９】
本発明の第四の花包装体は、広口の開口部を有するプラスチック製二軸延伸ブロー成形容器本体部と蓋材とからなり、前記容器本体部内に収容した花を前記蓋材により密封してなる花包装体であって、前記容器本体部の底部は底面部と前記底面部を取り囲む環状の接地部とからなり、前記底面部は前記接地部に近い周縁部分では大きく上方に凹んでおり、またその中央部には前記接地部の下端を超さないように下方に突出した筒状の凹部が形成されており、かつ前記容器本体部の少なくとも一部の壁が、周方向及び／又は長さ方向に小さく凹凸を繰り返す模様を有するように成形されていることを特徴とする。
【００１０】
本発明の第五の花包装体は、広口の開口部を有するプラスチック製二軸延伸ブロー成形容器本体部と蓋材とからなり、前記容器本体部内に収容した花を前記蓋材により密封してなる花包装体であって、前記容器本体部の底部は底面部と前記底面部を取り囲む環状の接地部とからなり、前記底面部は前記接地部に近い周縁部分では大きく上方に凹んでおり、またその中央部には前記接地部の下端を超さないように下方に突出した筒状の凹部が形成されており、かつ前記花を長期保存するため炭酸ガス及び／又は窒素ガスとともに前記花が密封されていることを特徴とする。
【００１１】
前記蓋材は、前記容器本体部の開口端に形成されたフランジ部に巻き締めにより取り付けられているのが好ましい。前記蓋材はアルミニウムからなるのが好ましい。前記容器本体部はポリエチレンテレフタレートからなるのが好ましい。
【００１２】
第一〜第四の花包装体では、前記花を長期保存するため炭酸ガス及び／又は窒素ガスとともに前記花が密封されているのが好ましい。第一〜第三及び第五の花包装体では、前記容器本体部の少なくとも一部の壁が、周方向及び／又は長さ方向に小さく凹凸を繰り返す模様を有するように成形されていてもよい。
【００１３】
【実施例】
本発明を添付図面を参照して詳細に説明する。図１は本発明の一実施例による花包装体を概略的に示す側面図である。花包装体１は、容器本体部２と蓋材３とからなる。
【００１４】
容器本体部２は、口部22と、胴部23と、底部24とを有する二軸延伸ブロー成形体であり、口部22はほぼ胴部23と同様の径を有する広口の容器となっている。口部22は、蓋材３との巻き締め部を構成するフランジ部（図１には図示せず）と縮径部30とを有する。このような縮径部30を形成しておくと、蓋材３との巻き締めに耐えるだけの強度を口部22に付与することができる。なお、巻き締め部の構造については後に説明する。
【００１５】
容器本体部２の胴部23は、本実施例では円筒状に形成されており、後述するように高い延伸倍率に二軸延伸されている。
【００１６】
また、容器本体部２の底部24は、環状の接地部25と、この環状の接地部25に囲まれた底面部26とからなる。環状の接地部25の外壁面は胴部23からスムーズに連続しており、外壁面のほぼ下半分は下方に縮径する円錐状曲面となっている。環状の接地部25の下端29は円状の接地線を形成するが、この円状の接地線の径は、胴部23の径よりわずかに小さくなるように形成されている。胴部23の径R1 と円状の接地線の径R2 との比R1 ／R2 は1.2 〜1.6 程度とするのが好ましい。
【００１７】
環状の接地部25に囲まれた底面部26は全体として接地部25の下端29より上方に位置するが、接地部25に近い部分が大きく上方に凹んでいる。本実施例においては、接地部25のすぐ内側の部分（接地部25の内壁面に相当する部分）の壁面部28は、下方からみて凹状の滑らかな曲面状に形成されている。一方、底面部26の中央部分は、接地部25の下端29を超さない程度に下方に円筒状に突出している。すなわち、容器本体部２の内側からみると、底面部26の中央に、容器本体部２の内側に開口する円筒状の凹部27が形成されることになる。この円筒状凹部27とその周囲の曲面状の壁面部28とが連続して底面部26を構成している。
【００１８】
このような底部形状を有する容器本体部２を用いると、花を確実に保持して収容することができる。すなわち、図２に示すように、切り花５・・の茎端部を円筒状凹部27に挿入して固定することができる。また、図３に示すように、切り花５の茎端部を水61を入れた蓋60付きの小容器６に固定し、この小容器６を円筒状凹部27に挿入することにより花を固定することもできる。
【００１９】
本実施例においては、蓋材３は、図４に示すように二重巻き締め（ダブルシーム）により容器本体部２に取り付けられている。すなわち、蓋材３は、その周縁部分で容器本体部２の開口部に設けられたフランジ部21と重なり合い、重なり合う部分が外側上方から内側へ折り曲げられ、容器本体部２がシールされる。このような巻き締め部４から花包装体内の気体が散逸することはなく、良好なシール性が得られる。
【００２０】
容器本体部２を密封する蓋材３としては、たとえばアルミニウム板材、スチール板材等の金属材料、または上記の金属材料とプラスチックとの積層シート材等からなるプルタブ付きのものを用いることができる。なお、本実施例のように二重巻き締めを行う場合には、アルミニウム板材からなる蓋材を用いるのが好ましい。
【００２１】
以上、容器本体部２に蓋材３を巻き締める場合について説明したが、本発明はこれに限らず、他のシール方法により容器本体部を密封してもよい。たとえば、容器本体部の開口部にフラットなフランジ部を設けておき、このフランジ部に、ヒートシールや超音波シールにより蓋材を封着する方法を採用してもよい。また、嵌合蓋、スクリューキャップ蓋等を用いてもよく、さらに、その他の公知の方法により容器本体部を密封することもできる。
【００２２】
本発明の花包装体に収容できる花種には特に限定はなく、バラ、ユリ、ラン、カーネーション等所望の花を包装することができる。また、生花に限らず、種々のドライフラワーをも収容することもできる。
【００２３】
本発明の花包装体においては、収容される花とともに、この花の長期保存を可能にするための気体を密封することができる。このような気体としては、炭酸ガス、窒素ガス等が挙げられるが、これは、収容される花の種類によって適宜選択する。なお、灰色カビ病等の花の病原菌の抑制、又は殺菌用の薬剤、香りの効果を付与するための香料等を添加封入することもできる。また、本発明の花包装体においては、上述の各気体を大気圧より大きな圧力で密封することができる。
【００２４】
なお、本発明の花包装体においては、花から発生する水蒸気による内面の曇りを防ぐため、容器本体部内面に防曇材をコーティングすることができる。
【００２５】
このような構成の花包装体は以下のような利点を有する。
(1) 花種に合った気体を、その組成を変化させずに長時間封入でき、花の長期保存が可能となる。
(2) 花の香りを封入することができ、消費者が花包装体を開封する時に花の香りを十分に楽しむことができる。
(3) 包装体内部に、エチレン吸収剤、水蒸気吸収剤（たとえばドライフラワーを収容する場合）、防曇材、抗菌剤や、茎端部に給水する部材等を同時に封入することができる。
(4) 外力による花のくずれ等を防止することができる。特に、加圧状態の気体を封入しておくと、花包装体に外力が加わってもつぶれるようなことはなく、花のくずれを確実に防止することができる。
(5) 加圧気体を封入した状態とすると、冷温状態で花包装体を輸送する場合などにおいて、花包装体内部の減圧（温度低下による内部圧の低下）による花包装体の変形が防止される。
(6) 花の茎端部を確実に保持することができ、収容した花が包装体内部で不必要に動くことがない。
(7) 主に、上述した(3)〜(6)により、従来の花の販路以外でも花包装体を取り扱うことができ、たとえば、コンビニエンスストア、自動販売機等での小売が可能となる。
(8) 容器本体部を容易に透明とすることができ、花包装体のままで鑑賞することができる。
(9) 口部が広口となっているので、花の収容が容易である。
【００２６】
次に、本発明の花包装体に用いる容器本体部２の製造方法について説明する。まず、図５の(a) 又は(b) に示すような有底円筒状のパリソンを製造する。ここで、(a) に示すパリソン7aは実質的に単一の胴径を有する円筒状パリソンであり、また、(b) に示すパリソン7bは口部側が拡径した形状のものである。これらのパリソンは、公知の射出成形等により製造することができる。好ましくは図５(a) に示すような単一の胴径を有するパリソン7aを用いる。
【００２７】
パリソンを形成するプラスチック（容器本体部２を形成するプラスチック）としては、二軸延伸ブロー成形が可能な熱可塑性樹脂であれば特に制限はないが、ポリエステル系のものが好ましい。
【００２８】
ポリエステル樹脂としては、飽和ジカルボン酸と飽和二価アルコールとからなる熱可塑性樹脂が使用できる。特に好ましいポリエステルは、テレフタル酸とエチレングリコールとからなるポリエチレンテレフタレートである。ポリエチレンテレフタレートを用いた二軸延伸ブロー成形体は、透明で表面性に優れ、また強度にも優れているので、良好な花包装体とすることができる。
【００２９】
また上記ポリエステル樹脂に、バリヤー性樹脂等を混合したものを用いることができる。なお、パリソンとして、ポリエステル樹脂又はポリエステル樹脂とバリヤー性樹脂等との混合樹脂からなる単層のパリソンばかりでなく、バリヤー性樹脂等とポリエステル樹脂とからなる多層のパリソンを用いることもできる。
【００３０】
本発明で使用する樹脂には、その他、安定剤、顔料、酸化防止剤、熱劣化防止剤、紫外線劣化防止剤、帯電防止剤、抗菌剤等の添加剤やその他の樹脂を適量加えることができる。
【００３１】
次に、図５(a) 又は(b) に示したようなパリソンを二軸延伸ブロー成形して、図６に示すような中間成形体2aを製造する。中間成形体2aは、上から順に口部50と、拡径部51と、縮径部52と、胴部23と、底部24とからなる。縮径部52は図１に示した容器本体部２の口部22と実質的に同一形状を有し、また、縮径部52より下の部分（胴部23、底部24）も容器本体部２の口部22より下の部分と同一形状となる。
【００３２】
このような中間成形体2aにおいて、各部の延伸倍率は、口部50で未延伸、拡径部51で９倍以上14倍未満の高延伸、縮径部22で４倍以上６倍未満の中延伸、胴部23で６倍以上の高延伸、底部24で６倍以下の低延伸とするのが好ましい。
【００３３】
各部の延伸倍率の限定理由は以下の通りである。拡径部51の下部は後述するように容器本体部２のフランジ部21となるが、このフランジ部21を包含する拡径部51の延伸倍率が９倍未満では、フランジ部21の強度が低下し、巻き締め等の蓋材の取付けが良好に行えない。また14倍以上の延伸とすると、フランジ部21が肉薄となるとともに剛性が強くなり、変形を伴う巻締めには好ましくない。９倍以上14倍未満の高延伸とすると、二重巻き締めした場合になじみが良く、良好な強度も得られる。
【００３４】
フランジ部の下部領域に当たる縮径部52は上述の通り容器本体部２の口部22となるが、この部分は、フランジ部を巻き締めた際に亀裂や変形等を生じないようにリジット性を向上させる必要があり、縮径部52を胴部23に比べて厚肉に形成するのが好ましい。そのために、延伸倍率を４倍以上６倍未満とする。延伸倍率が４倍未満では、肉厚が大きくなり過ぎ、弾性が低下して亀裂が生じやすく、また延伸倍率を６倍以上とすると、肉厚が薄くなり過ぎてフランジ部を巻き締めた際の変形等を防止し得るだけの十分なリジット性が得られない。
【００３５】
一方、胴部23については、その延伸倍率が６倍未満となると、容器本体部２全体に十分な強度を付与することができなくなる。特に、花包装体内部に気体等を加圧状態で封入する場合に、耐圧性が十分とならない。また、底部24については、その延伸倍率が６倍を越えると、底部の肉厚が薄くなり、十分な耐衝撃性を有する容器本体部２とならない。
【００３６】
図６に示すような中間成形体2aを得たならば、中間成形体2aの拡径部51の底壁部（例えば図６中のＣの位置）を切断し、花包装体用の容器本体部２とする。切断されてなる容器本体部２の開口部分には、開口部の径外方に延びるフランジ部21が形成されることになる。
【００３７】
以上、本発明を図面を用いて詳細に説明したが、本発明はこれに限定されることなく、本発明の思想を逸脱しない限り、種々の変更を施すことができる。
【００３８】
例えば、容器本体部２の胴部23は単純な円筒状に形成する必要はなく、装飾性、胴部における強度の向上等の目的で種々の壁形状に変化させることができる。具体的には、図７(a) 及びそのA-A断面図である(b) に示すように、容器本体部2bの胴部の一部を、容器本体部２の長さ方向に細長い平面部70・・を角度を変えて周方向に配列し、図７(b) に示す横断面において三角形状の凹凸を繰り返すように成形した壁とすることができる。このような胴部壁とすると、花包装体に収容された花の一部分（たとえば茎部分）がいわば暈されて見えることになる。
【００３９】
また、図８に示すように、容器本体部2cの胴部23の下部と底部24の外壁面部を、小さな三角形状の平面80・・を組み合わせた壁とすることもできる。さらに、図９(a) 及びそのA-A断面図である(b) に示すように、容器本体部2dの胴部23の下部と底部24の外壁面部において、周方向に複数の縦長の弧面90・・を連続させ、周方向に波をうったような壁部とすることもできる。
【００４０】
本発明を以下の具体的実施例によりさらに詳細に説明する。
実施例１
ポリエチレンテレフタレート樹脂（三井石油化学工業株式会社製、J125）を用い、図５(a) に示すパリソンを射出成形により作成した。パリソンの形状及び重さは、以下の通りであった。
【００４１】
全高：140 mm
口部：外径25.5 mm、内径21.5 mm
サポートリング：外径29.5 mm
胴部：外径25.2 mm、内径16.9 mm
底部：肉厚2.5 mm
重量：49 g
【００４２】
上記形状のパリソンを成形後、図６に示すような形状の中間成形体（全高263.8 mm 、最大胴径87.7 mm) を作成した。
【００４３】
このようにして得られた中間成形体を縦方向に切断して容器の延伸倍率を測定したところ、口部が未延伸、拡径部が約９倍、縮径部が約５倍、容器本体部が約14.5倍、底部が１〜６倍であった。また、容器本体部の厚みは0.3 mmで、フランジの下部領域の厚みは0.7 mmであった。
【００４４】
次に、この中間成形体の図６に示すＣの位置をナイフで円形に切り裂き、分離して、ブロー成形容器（容器本体部）を得た。
【００４５】
この容器本体部にバラの生花を入れた後、N2 ガスを0.3 kg／cm2 の圧力となるように入れ、アルミニウム製の蓋でダブルシームにより密閉した。
【００４６】
得られた花包装体は、十分な密封性を有するとともに、ダブルシームを施しても、亀裂、変形等を生じることがなかった。また、収容されたバラの生花は長期間新鮮なものであった。
【００４７】
【発明の効果】
以上に詳述したように、本発明の花包装体は花を容易に収納でき、また収納した花を長期保存することができる。さらに、花くずれせずに容易に搬送することもでき、従来の生花の販路以外での小売（たとえば自動販売機での販売、コンビニエンスストア、キヨスク等での販売）を行うことができる。
【００４８】
また、本発明の花包装体では、花の香りを逃がさず包装できるとともに、包装体のままで鑑賞することも可能となる。
【図面の簡単な説明】
【図１】本発明の一実施例による花包装体を示す概略側面図である。
【図２】図１の花包装体に切り花を収容した状態の一例を示す部分断面図である。
【図３】図１の花包装体に切り花を収容した状態の別な例を示す部分断面図である。
【図４】図１の花包装体の蓋材の巻き締めの状態を示す部分断面図である。
【図５】(a) 、(b) ともに図１の花包装体の容器本体部を製造することができるパリソンの例を示す断面図である。
【図６】容器本体部を製造することができる中間成形体の一例を示す概略側面図である。
【図７】本発明の別な実施例による花包装体における容器本体部を示しており、(a) は側面図であり、(b) はそのA-A断面図である。
【図８】本発明のさらに別な実施例による花包装体における容器本体部を示す部分側面図である。
【図９】本発明のもう一つの実施例による花包装体における容器本体部を示しており、(a) は部分側面図であり、(b) はそのA-A断面図である。
【符号の説明】
１          花包装体
２、2b、2c、2d    容器本体部
2a          中間成形体
３          蓋材
４          巻き締め部
５          切り花
６          小容器
60          小容器の蓋
61          小容器中の水
7a、7b      パリソン
21          フランジ部
22          口部
23          胴部
24          底部
25          接地部
26          底面部
27          円筒状凹部
28          曲面部
29          接地部の下端
30          縮径部
50          中間成形体の口部
51          中間成形体の拡径部
52          中間成形体の縮径部
70          模様を構成する平面部
80          模様を構成する三角形状の平面
90          模様を構成する縦長の弧面
【図１】
0003558136.tif 000002
【図２】
0003558136.tif 000003
【図３】
0003558136.tif 000004
【図４】
0003558136.tif 000005
【図５】
0003558136.tif 000006
【図６】
0003558136.tif 000007
【図７】
0003558136.tif 000008
【図８】
0003558136.tif 000009
【図９】
0003558136.tif 000010